(57)【要約】【課題】入出金口に投入された媒体の取り込み時における障害発生を事前に防ぎ、休止を低減させる。【解決手段】媒体が立位状態で投入される入出金口と、前記入出金口内に移動可能に設けられ、前記媒体を支える支持部材と、前記支持部材と対向し、前記入出金口内に移動可能に設けられ、前記支持部材側に前記媒体を押圧する押圧部材と、前記入出金口に媒体が投入される際の前記支持部材の投入位置と前記媒体の投入後の前記支持部材の位置、または、前記媒体が投入される際の前記押圧部材の投入位置と前記媒体の投入後の前記押圧部材の位置が変化しているか否かを検出する制御部と、を備える、媒体処理装置。【選択図】図１
2020194254.tif 000002
【特許請求の範囲】
【請求項１】
媒体が立位状態で投入される入出金口と、
前記入出金口内に移動可能に設けられ、前記媒体を支える支持部材と、
前記支持部材と対向し、前記入出金口内に移動可能に設けられ、前記支持部材側に前記媒体を押圧する押圧部材と、
前記入出金口に媒体が投入される際の前記支持部材の投入位置と前記媒体の投入後の前記支持部材の位置、または、前記媒体が投入される際の前記押圧部材の投入位置と前記媒体の投入後の前記押圧部材の位置が変化しているか否かを検出する制御部と、
を備える、媒体処理装置。
【請求項２】
前記制御部は、前記入出金口に媒体が投入される際、前記支持部材および前記押圧部材を投入位置に停止させ、前記媒体の投入後、前記支持部材または前記押圧部材の位置が前記投入位置から変化しているか否かを検出する制御を行う、請求項１に記載の媒体処理装置。
【請求項３】
前記制御部は、前記位置が変化している場合、前記入出金口から媒体を減らすよう誘導する誘導画面を表示部に表示する制御を行う、請求項１または２に記載の媒体処理装置。
【請求項４】
前記支持部材と前記押圧部材の間には、前記媒体を投入する投入空間が形成され、
前記支持部材と前記押圧部材の前記投入位置は、入金可能な最大紙幣に応じて予め設定される、請求項１〜３のいずれか１項に記載の媒体処理装置。
【請求項５】
前記制御部は、前記入出金口に媒体が投入される際、前記支持部材および前記押圧部材を投入位置に固定し、前記媒体の投入後、前記支持部材および前記押圧部材の固定を解除し、前記支持部材または前記押圧部材の位置が前記投入位置から変化しているか否かを検出する、請求項１〜４のいずれか１項に記載の媒体処理装置。
【請求項６】
前記媒体処理装置は、
前記入出金口を開閉するシャッタをさらに備え、
前記制御部は、前記支持部材および前記押圧部材を投入位置に停止させた後、前記シャッタを開き、前記媒体の投入後、前記シャッタを閉じ、前記支持部材または前記押圧部材の位置が前記投入位置から変化しているか否かを検出する、請求項１〜５のいずれか１項に記載の媒体処理装置。
【請求項７】
前記制御部は、前記位置が変化している場合、前記入出金口から媒体を減らすよう誘導する誘導画面を表示部に表示するとともに、前記シャッタを開く制御を行う、請求項６に記載の媒体処理装置。
【請求項８】
前記制御部は、前記位置が変化していない場合、前記押圧部材を、前記支持部材側に移動させて前記媒体を押圧し、その後、前記支持部材および前記押圧部材を前記入出金口における媒体の分離位置まで移動させ、前記媒体の分離を開始する、請求項１〜７のいずれか１項に記載の媒体処理装置。
【請求項９】
媒体が立位状態で投入される入出金口と、
前記入出金口内に移動可能に設けられ、前記媒体を支える支持部材と、
前記支持部材と対向し、前記入出金口内に移動可能に設けられ、前記支持部材側に前記媒体を押圧する押圧部材と、
前記入出金口に媒体が投入される際の前記支持部材の投入位置と前記媒体の投入後の前記支持部材の位置、または、媒体が投入される際の前記押圧部材の投入位置と前記媒体の投入後の前記押圧部材の位置が変化しているか否かを検出する制御部と、
を有する媒体処理装置を備える、自動取引装置。
【発明の詳細な説明】
【技術分野】
【０００１】
本発明は、媒体処理装置および自動取引装置に関する。
【背景技術】
【０００２】
昨今、金融機関のＡＴＭ（Ａｕｔｏｍａｔｅｄ  ｔｅｌｌｅｒ  ｍａｃｈｉｎｅ）に代表される自動取引装置は、銀行、駅構内およびコンビニエンスストアなど、多様な場所に設置されている。顧客は自動取引装置の表示部に表示される表示画面において各種操作を行うことにより、入金、出金および残高照会などの取引を行うことができる。
【０００３】
また、一般的なＡＴＭでは、顧客の紙幣を預け入れる際、装置前面に設けられた入出金口（接客部とも称す）から紙幣を取り込んで受領し、必要に応じて金種を鑑別して計数した後、当該紙幣を装置内の紙幣収納庫に保管して管理する。また、装置内に取り込んだ紙幣を顧客が引き出す場合、顧客が装置前面に設けられた取引画面を通じて支払いの手続きを行うとともに、装置は、顧客が入力した払戻希望金額の情報に応じて、紙幣収納庫から指定された金額分の紙幣を１枚ずつ繰り出し、装置内の搬送路を搬送させ、入出金口へ集積する。
【０００４】
装置前面に設けられた入出金口には、シャッタ（開閉扉）が設けられる。装置は、取引を行わないときは顧客が入出金口の内部に手を挿入できないようにシャッタを閉じる。また、紙幣の預け入れや払い出しを行うときには、顧客が紙幣を挿入または受け取ることができるよう、当該シャッタを開く制御を行う（下記特許文献１参照）。
【先行技術文献】
【特許文献】
【０００５】
【特許文献１】特開２００６−２０９２７４号公報
【発明の概要】
【発明が解決しようとする課題】
【０００６】
しかし、入出金口へ媒体（紙幣）を預け入れる際、入金可能な最大枚数を超える枚数の媒体を無理に投入したりすると、紙幣を装置に取り込む際に障害が発生して装置が休止になるという問題があった。
【０００７】
そこで、本発明は、上記問題に鑑みてなされたものであり、本発明の目的とするところは、入出金口に投入された媒体の取り込み時における障害発生を事前に防ぎ、休止を低減させることが可能な、新規かつ改良された装置を提供することにある。
【課題を解決するための手段】
【０００８】
上記課題を解決するために、本発明のある観点によれば、媒体が立位状態で投入される入出金口と、前記入出金口内に移動可能に設けられ、前記媒体を支える支持部材と、前記支持部材と対向し、前記入出金口内に移動可能に設けられ、前記支持部材側に前記媒体を押圧する押圧部材と、前記入出金口に媒体が投入される際の前記支持部材の投入位置と前記媒体の投入後の前記支持部材の位置、または、前記媒体が投入される際の前記押圧部材の投入位置と前記媒体の投入後の前記押圧部材の位置が変化しているか否かを検出する制御部と、を備える、媒体処理装置が提供される。
【０００９】
また、前記制御部は、前記入出金口に媒体が投入される際、前記支持部材および前記押圧部材を投入位置に停止させ、前記媒体の投入後、前記支持部材または前記押圧部材の位置が前記投入位置から変化しているか否かを検出する制御を行ってもよい。
【００１０】
また、前記制御部は、前記位置が変化している場合、前記入出金口から媒体を減らすよう誘導する誘導画面を表示部に表示する制御を行ってもよい。
【００１１】
また、前記支持部材と前記押圧部材の間には、前記媒体を投入する投入空間が形成され、前記支持部材と前記押圧部材の前記投入位置は、入金可能な最大紙幣に応じて予め設定されてもよい。
【００１２】
また、前記制御部は、前記入出金口に媒体が投入される際、前記支持部材および前記押圧部材を投入位置に固定し、前記媒体の投入後、前記支持部材および前記押圧部材の固定を解除し、前記支持部材または前記押圧部材の位置が前記投入位置から変化しているか否かを検出してもよい。
【００１３】
また、前記媒体処理装置は、前記入出金口を開閉するシャッタをさらに備え、前記制御部は、前記支持部材および前記押圧部材を投入位置に停止させた後、前記シャッタを開き、前記媒体の投入後、前記シャッタを閉じ、前記支持部材または前記押圧部材の位置が前記投入位置から変化しているか否かを検出してもよい。
【００１４】
また、前記制御部は、前記位置が変化している場合、前記入出金口から媒体を減らすよう誘導する誘導画面を表示部に表示するとともに、前記シャッタを開く制御を行ってもよい。
【００１５】
また、前記制御部は、前記位置が変化していない場合、前記押圧部材を、前記支持部材側に移動させて前記媒体を押圧し、その後、前記支持部材および前記押圧部材を前記入出金口における媒体の分離位置まで移動させ、前記媒体の分離を開始してもよい。
【００１６】
また、上記課題を解決するために、本発明の別の観点によれば、媒体が立位状態で投入される入出金口と、前記入出金口内に移動可能に設けられ、前記媒体を支える支持部材と、前記支持部材と対向し、前記入出金口内に移動可能に設けられ、前記支持部材側に前記媒体を押圧する押圧部材と、前記入出金口に媒体が投入される際の前記支持部材の投入位置と前記媒体の投入後の前記支持部材の位置、または、媒体が投入される際の前記押圧部材の投入位置と前記媒体の投入後の前記押圧部材の位置が変化しているか否かを検出する制御部と、を有する媒体処理装置を備える、自動取引装置が提供される。
【発明の効果】
【００１７】
以上説明したように本発明によれば、入出金口に投入された媒体の取り込み時における障害発生を事前に防ぎ、休止を低減させることが可能である。
【図面の簡単な説明】
【００１８】
【図１】本発明の実施形態による自動取引装置の外観例を示す図である。
【図２】本実施形態による自動取引装置の詳細構成を示したブロック図である。
【図３】本実施形態による自動取引装置が備える紙幣入出金部の内部構成の一例を示す図である。
【図４】本実施形態による紙幣接客部の側面図である。
【図５】入金時における従来の動作処理の流れの一例を示すフローチャートである。
【図６】分離前準備動作について説明する図である。
【図７】本実施形態による紙幣取り込み時の動作処理の流れの一例を示すフローチャートである。
【図８】本実施形態によるプールガイドおよびビルプレスの位置チェックについて説明する図である。
【図９】本実施形態によるオーナー入金時などにおけるプールガイドおよびビルプレスの位置チェックについて説明する図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
＜１．自動取引装置の構成例＞
本発明の実施形態は、主に、自動取引装置の紙幣（媒体）の接客部（入出金口）に関する。以下では、自動取引装置の構成を概略的に説明した後に、本発明の実施形態による接客部の構成を詳細に説明する。
【００２１】
（１−１．自動取引装置の外観例）
図１は、本発明の実施形態による自動取引装置１の構成を示した説明図である。自動取引装置１は、金融機関の顧客による操作に基づいて金銭の取引を実行する顧客操作型端末である。この自動取引装置１は、金融機関の営業店、コンビニエンスストア、駅構内、ホテル、病院、アミューズメントパーク、飲食店、オフィスビルディングなどの多様な施設に設置される。
【００２２】
このような自動取引装置１は、例えば図１に示したように、装置前面に通帳取扱部１１、カード取扱部１２、硬貨接客部１３、紙幣接客部１４、および顧客操作表示部１５を有し、装置内部に紙幣入出金部１６および硬貨入出金部１７を備える。
【００２３】
顧客操作表示部１５は、顧客による操作の誘導画面を表示する表示部および顧客が操作入力を行うための入力部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、入力部としての機能は例えばタッチパネルにより実現される。なお、図１においては表示部および入力部の機能が自動取引装置１において一体的に構成される例を示しているが、表示部および入力部の機能は分離して構成されてもよい。
【００２４】
通帳取扱部１１は、通帳挿入排出口から挿入された通帳の識別や、当該通帳に取引結果などの記録（記帳）を行う。カード取扱部１２は、カード挿入排出口から挿入されたカード（例えば、キャッシュカードやクレジットカード）の識別情報や顧客情報を読み取る機能と、預け入れ取引や引き出し取引等の取引結果を明細票に印字する機能を有する。明細票は、カード排出と共に明細票排出口から排出され得る。
【００２５】
硬貨接客部１３は、顧客による硬貨の預け入れおよび顧客による硬貨の引き出しを行う入出金口である。硬貨接客部１３に投入された硬貨は、装置内部の鑑別部（不図示）により金種を鑑別して計数された後、自動取引装置１の内部に備えられている硬貨入出金部１７に収納され、保管される。
【００２６】
紙幣接客部１４は、顧客による紙幣の預け入れおよび顧客による紙幣の引き出しを行う入出金口である。紙幣接客部１４に投入された紙幣は、装置内部の鑑別部２（図３参照）により金種を鑑別して計数された後、紙幣入出金部１６に収納され、保管される。
【００２７】
以上説明した構成例では、硬貨と紙幣の両方を扱う自動取引装置１について示したが、本実施形態はこれに限定されず、紙幣のみを扱う自動取引装置１であってもよい。また、自動取引装置１の一例としてＡＴＭを用いたが、本実施形態はこれに限定されない。
【００２８】
（１−２．自動取引装置１の詳細構成例）
続いて、図２を参照して、自動取引装置１の詳細構成例について説明する。図２は、本実施形態による自動取引装置１の詳細構成を示したブロック図である。
【００２９】
図２に示すように、自動取引装置１は、制御部１０、通帳取扱部１１、カード取扱部１２、硬貨接客部１３、紙幣接客部１４、顧客操作表示部１５、紙幣入出金部１６、硬貨入出金部１７、通信部１８、および記憶部１９を有する。
【００３０】
制御部１０は、例えば、ＣＰＵ（Ｃｅｎｔｒａｌ  Ｐｒｏｃｅｓｓｉｎｇ  Ｕｎｉｔ）等を中心に構成されており、自動取引装置１の各機能部を制御して、各種の取引を実行する。具体的には、制御部１０は、接客部（硬貨接客部１３、紙幣接客部１４）から入金された現金の入金処理、および、接客部へ現金を出金する出金処理を行い得る。また、制御部１０は、例えば自動取引装置１で行われる取引を実行すべく、通帳取扱部１１やカード取扱部１２から顧客情報を読み取り、専用網６０を介してホストコンピュータ５０から顧客の口座情報を受信する。また、制御部１０は、顧客による現金の預け入れ金額や、顧客への現金の支払い金額の情報を、顧客情報に紐付けてホストコンピュータ５０に送信する。
【００３１】
通帳取扱部１１、カード取扱部１２、硬貨接客部１３、紙幣接客部１４、顧客操作表示部１５、紙幣入出金部１６、および硬貨入出金部１７については、図１を参照して上述した通りである。なお紙幣入出金部１６の内部構成および紙幣接客部１４の構成については、さらに後述する。
【００３２】
通信部１８は、例えば専用網６０を介して、金融機関のホストコンピュータ５０に、自動取引装置１における取引内容等を送信する。
【００３３】
記憶部１９は、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等から実現され、自動取引装置１の動作を制御するための制御プログラムや、自動取引装置１の取引時における入力データ、表示画面等を格納する。
【００３４】
（１−３．紙幣入出金部１６の内部構成）
図３は、自動取引装置１が備える紙幣入出金部１６の内部構成の一例を示す図である。図３に示したように、紙幣入出金部１６は、紙幣接客部１４、鑑別部２、一時保留部３、紙幣カセット（紙幣収納庫）４ａ〜４ｄ、リジェクトカセット５、および搬送路６ａ〜６ｍを有する。
【００３５】
紙幣接客部１４は、入金取引時に顧客により入金された紙幣を分離したり、出金取引時に顧客に出金する紙幣を集積したりする。紙幣接客部１４には開閉シャッタが設けられ、紙幣接客部１４への投入または受取時に、適宜シャッタが開閉される。本実施形態は主に当該紙幣接客部１４に関する。
【００３６】
鑑別部２は、顧客が入金した紙幣、または顧客に出金する紙幣の鑑別を行う。具体的には、鑑別部２は、搬送路６を通って搬送された紙幣の金種、真偽、正損および走行状態などを鑑別する。一時保留部３は、入金取引時に紙幣接客部１４で分離されて鑑別部２により正常と鑑別された紙幣を一時的に集積する。
【００３７】
紙幣カセット４ａ〜４ｄは、顧客の入金した紙幣、出金するための紙幣、および他の紙幣カセット４から分離された紙幣などを集積する紙幣集積部である。紙幣カセット４ａ〜４ｄは、同一金種のための複数の紙幣カセットを含んでもよい。リジェクトカセット５は、入金処理時に、鑑別部２によって紙幣カセット４に収納しないとされた入金紙幣や、出金処理時に、紙幣カセット４から繰り出された紙幣のうち鑑別部２によって出金しないとされた紙幣を収納する。
【００３８】
搬送路６ａ〜６ｍは、紙幣を搬送するための構成である。各搬送路６ａ〜６ｍは、ＤＣサーボモータまたはパルスモータなどが回転することにより、紙幣を目的の搬送先に搬送することが可能である。
【００３９】
なお図３に示す各構成の配置は一例であって、本実施形態はこれに限定されない。
【００４０】
（１−４．紙幣接客部１４の構成）
続いて、図４を参照して、本発明の実施形態による紙幣接客部１４の構成を具体的に説明する。図４は、本実施形態による紙幣接客部１４の側面図である。
【００４１】
図４に示したように、紙幣接客部１４（媒体処理装置）は、図示せぬモータ等の駆動源によって駆動されて開閉するシャッタ２１と、シャッタ２１によって選択的に閉鎖状態または開放状態となる箱体（四方の側面を形成する側板と底面を形成する底面を含む）から形成される。
【００４２】
紙幣接客部１４の内部には、立位状態で投入される紙幣（媒体）２５を立位状態のまま支える支持部材の一例であるプールガイド２３と、プールガイド２３に対向し、紙幣２５を立位状態で支持部材側に押圧する押圧部材の一例であるビルプレス２２とが設けられる。ビルプレス２２およびプールガイド２３の間には、紙幣集積／投入空間が形成される。紙幣集積／投入空間（単に紙幣空間とも称する）は、入金時に顧客が投入する紙幣２５を受け入れるとともに、出金時に顧客に出金する紙幣２５を集積するための空間である。
【００４３】
ビルプレス２２およびプールガイド２３は、図示しないモータ等の駆動源により、それぞれ独立して、図中の矢印Ｍ１方向およびＭ２方向のいずれの方向にも移動することが可能である。ビルプレス２２およびプールガイド２３は、それぞれ、入金時には搬送路２８へ入金紙幣を搬送するため予め設定された分離位置に移動し、出金時には搬送路２７から搬送された出金紙幣を集積するための予め設定された集積位置に移動する。集積位置と分離位置の間には、顧客との間で紙幣を受け渡すための受け渡し位置が設定されている。図４に示す図では、ビルプレス２２およびプールガイド２３が、それぞれ受け渡し位置（プールガイド位置Ｐ１ａ、ビルプレス位置Ｐ１ｂ）に配置された状態を示している。このようなビルプレス２２およびプールガイド２３の受け渡し位置は予め設定されるが、より具体的には、例えば入金取引における受け渡し位置（以下、「投入位置」とも称す）は、入金可能な最大紙幣に応じて設定され得る。
【００４４】
紙幣接客部１４内部には、ビルプレス２２およびプールガイド２３の位置をそれぞれ判断するためのセンサ（不図示）が設けられており、ビルプレス２２およびプールガイド２３を所定の位置に配置させることが可能となる。また、紙幣接客部１４内部には、紙幣２５の状態を判断するためのセンサ（不図示）が設けられている。
【００４５】
（課題の整理）
ここで、従来、紙幣預け入れ時（すなわち入金時）において、ビルプレス２２およびプールガイド２３により形成される紙幣空間（投入空間）が顧客による紙幣の投入のし易さを考慮し、余裕を持たせた空間となるよう、受け渡し位置（すなわち投入位置）が設定されている。これにより、入金可能な最大枚数を超える紙幣が投入空間に詰め込まれてしまう場合があった。また、ビルプレス２２およびプールガイド２３は、図示しないモータ等の駆動源により、それぞれ独立して紙幣接客部１４内部を移動することが可能であり、シャッタ２１が開いた状態では、例えばモータの励磁等でロックされる機能が設けられている。しかしながら、顧客がビルプレス２２やプールガイド２３を無理に押し広げて紙幣を詰め込むことも可能であった。また、投入空間に異物が投入されてしまうこともあった。
【００４６】
このような場合、紙幣を装置に取り込む際に障害が発生して装置が休止になるという問題があった。
【００４７】
ここで、入金時における従来の動作処理について、図５を参照して説明する。図５は、本実施形態による紙幣接客部への紙幣預け入れ時の動作について説明する図である。
【００４８】
図５に示すように、まず、自動取引装置の制御部は、ビルプレス２２およびプールガイド２３をそれぞれ投入位置に移動させる（ステップＳ３０３）。具体的には、図４に示すような位置であり、集積方向から搬送された紙幣を集積する集積位置と分離方向へ紙幣を分離する分離位置との間に予め設定されている。
【００４９】
次に、制御部は、ビルプレス２２およびプールガイド２３を固定する（ステップＳ３０６）。ビルプレス２２およびプールガイド２３は、例えばモータの励磁等でロックされ得る。
【００５０】
次いで、制御部は、シャッタ２１を開き（ステップＳ３０９）、紙幣接客部１４内部（投入空間）への顧客による紙幣の投入を待つ（ステップＳ３１２）。
【００５１】
紙幣の投入が行われると（ステップＳ３１２で「投入」）、制御部は、シャッタを閉めて（ステップＳ３１５）、ビルプレス２２およびプールガイド２３の固定（ロック）を解除し（ステップＳ３１８）、分離前準備動作を行う（ステップＳ３２１）。
【００５２】
分離前準備動作とは、投入された紙幣の束を分離側に移動させるため、ビルプレス２２およびプールガイド２３がそれぞれ分離位置まで移動する動作である。具体的には、図６に示す。まず図６上段に示すように、シャッタ２１が開いて紙幣２５が立位状態で投入空間に投入されると、次に図６中段に示すように、シャッタ２１が閉じ、ビルプレス２２がプールガイド２３側に移動して紙幣２５を押圧する。続いて図６下段に示すように、ビルプレス２２およびプールガイド２３は、搬送路２８から紙幣２５を分離できる位置までそれぞれ移動する。
【００５３】
かかる準備動作が正常に終了した場合（ステップＳ３２４でＹｅｓ）、紙幣接客部１４に設けられたセンサにより、紙幣２５の状態が判断される（ステップＳ３２７）。
【００５４】
そして、紙幣状態が正常であれば（ステップＳ３２７で「正常」）、制御部は、正常セットと判断し、搬送路２８への紙幣の搬送（紙幣の分離）を開始する。
【００５５】
一方、紙幣状態が異常の場合（ステップＳ３２７で「異常」）、制御部は、異常セットと判断する。紙幣状態の異常とは、例えば高さ異常、半折れ、厚み検出等が想定される。この場合、制御部は、ビルプレス２２およびプールガイド２３をそれぞれ投入位置に移動させ（投入位置に戻し）（ステップＳ３３０）、高さ異常等を解消するよう顧客に誘導する画面を表示するとともに、シャッタ２１を開く制御を行う。これにより顧客に紙幣を整えさせ、紙幣状態の異常を解消することができる。
【００５６】
しかし、上述したように入金可能な最大枚数を超える紙幣が無理に詰め込まれたり、堅い材質の異物や重い異物が投入されたりした際に、ステップＳ３２１に示す分離前準備動作を行おうとすると、ビルプレス２２がプールガイド２３側へ押圧する動きや、ビルプレス２２およびプールガイド２３が分離側へ移動する動きが困難となり（動かない等）、準備動作を正常に終了させることができない（ステップＳ３２４でＮｏ）。この場合、紙幣状態のチェックを行うこともできず（紙幣状態をチェックするセンサの位置まで紙幣の束を移動させることができない）、制御部はエラー障害の発生と認識して装置を休止せざるを得ない。
【００５７】
そこで本実施形態では、ビルプレス２２およびプールガイド２３の準備動作（駆動）を行う前に、ビルプレス２２およびプールガイド２３の位置をチェックし、位置変化があった場合には顧客に紙幣を返却することで、障害発生を事前に防ぎ、装置の休止を低減させることを可能とする。
【００５８】
以下、このような本実施形態による入金時の動作処理について説明する。
【００５９】
＜２．動作処理＞
図７は、本実施形態による紙幣取り込み時の動作処理の流れの一例を示すフローチャートである。
【００６０】
図７に示すステップＳ１０３〜ステップＳ１１８に示す処理は、図５に示すステップＳ３０３〜ステップＳ３１８に示す処理と同様である。なおステップＳ１０６に示すビルプレス２２およびプールガイド２３の固定は必須動作ではなく、少なくともビルプレス２２およびプールガイド２３が投入位置で停止するよう制御してもよい。
【００６１】
制御部１０は、紙幣接客部１４への紙幣の投入が行われ（ステップＳ１１２で「投入」）、シャッタを閉め（ステップＳ１１５）、ビルプレス２２およびプールガイド２３の固定を解除した後（ステップＳ１１８）、プールガイド２３の位置チェックを行う（ステップＳ１２１）。すなわち、制御部１０は、紙幣接客部１４内に設けられたセンサ（不図示）により、プールガイド２３の位置が投入位置（プールガイド位置Ｐ１ａ）から変化しているか否かを検出する。位置チェックに用いるセンサは、例えば光学センサであってもよい。なお、ここでは一例としてプールガイド２３の位置チェックを行う旨を説明したが、本実施形態はこれに限定されず、ビルプレス２２の位置チェックを行ってもよいし、ビルプレス２２およびプールガイド２３の両方の位置チェックを行ってもよい。ビルプレス２２の位置チェックは、紙幣接客部１４内に設けられたセンサ（不図示）により、ビルプレス２２の位置が投入位置（ビルプレス位置Ｐ１ｂ）から変化しているか否かを検出することで行う。
【００６２】
図８は、本実施形態によるプールガイドおよびビルプレスの位置チェックについて説明する図である。入金可能な最大枚数以上の紙幣が投入された場合、ビルプレス２２およびプールガイド２３のロックを解除した際に、紙幣の膨張力により外側に力が働き、図８に示すようにビルプレス２２およびプールガイド２３が押し広げられ、それぞれ投入位置Ｐ１（プールガイド位置Ｐ１ａ、ビルプレス位置Ｐ１ｂ）からずれる場合がある。また、顧客がビルプレス２２またはプールガイド２３を無理に押し広げて紙幣を投入された場合も、ビルプレス２２またはプールガイド２３の投入位置Ｐ１からのずれが生じ得る。
【００６３】
そして、制御部１０は、ビルプレス２２およびプールガイド２３の少なくともいずれかの位置が投入位置から変化していた場合（ステップＳ１２１では、一例としてプールガイド２３の「位置変化あり」）、紙幣が多く詰められたことによるセット不良と判断する。セット不良と判断した場合、制御部１０は、シャッタ２１を開くと共に、紙幣を減らすよう顧客に促す誘導画面を表示する。これにより、顧客に紙幣を返却して枚数を減らすことで、分離前準備動作時における障害発生を事前に防ぎ、装置の休止を低減させることを可能とする。ステップＳ１２１において表示する誘導画面は、ステップＳ１２７の紙幣状態チェックの際に、紙幣の厚み異常を検知した際に表示する誘導画面と同一であってもよい。また、この誘導画面において、紙幣枚数を減らしてから、再度投入することを促しても良い。
【００６４】
なお、ビルプレス２２およびプールガイド２３のいずれの位置も投入位置から変化していない場合（ステップＳ１２１では、一例としてプールガイド２３の「位置変化なし」）、制御部１０は、分離前準備動作を開始する（ステップＳ１２４）。図７のステップＳ１２４〜ステップＳ１３０に示す処理は、図５のステップＳ３２１、ステップＳ３２７、ステップＳ３３０に示す処理と同様である。制御部１０は、ビルプレス２２およびプールガイド２３の少なくともいずれかの位置が投入位置から変化していた場合に紙幣が多く詰められたことによるセット不良と判断したが、ビルプレス２２およびプールガイド２３の両方の位置チェックを行う場合は、ビルプレス２２およびプールガイド２３の両方が投入位置から変化していた場合にセット不良と判断してもよいし、いずれか一方の位置が変化した場合にセット不良と判断してもよい。さらに、ステップＳ１０６において、ビルプレス２２およびプールガイド２３を固定せずに、投入位置で停止するようにのみ制御した場合は、ステップＳ１１８は実行しない。ステップ１２１では、ステップＳ１０６で停止させたビルプレス２２およびプールガイド２３の投入位置から変化があるか否かを判断する。
【００６５】
＜３．その他＞
入金時におけるビルプレス２２およびプールガイド２３のそれぞれの投入位置Ｐ１は、図８に示す例に限定されない。例えばＡＴＭ設置者向けの入金や入出金口から紙幣カセットへの補充など、入金取引には、入金可能な最大枚数が通常よりも多く設定されている（投入空間が通常よりも広い）入金取引もある。このような場合も、入金可能な最大枚数を超えて無理に詰め込まれると分離前準備動作においてエラー障害が発生して装置が休止してしまうため、同様にビルプレス２２およびプールガイド２３の位置チェックを行い、位置変化が検出された場合は、利用者に紙幣を返却して障害発生を事前に防ぐことが可能である。
【００６６】
図９は、ＡＴＭ設置者向けの入金や入出金口から紙幣カセット４への補充などの大量入金時におけるビルプレス２２およびプールガイド２３位置チェックについて説明する図である。入金可能な最大枚数が通常よりも多く設定されている大量入金時などの場合、例えば図９に示すように投入位置Ｐ４（プールガイド位置Ｐ４ｂ、ビルプレス位置Ｐ４ａ）にビルプレス２２およびプールガイド２３をそれぞれ配置し、投入空間を広く形成する。そして投入完了後、制御部１０は、ビルプレス２２やプールガイド２３の位置が変化しているか否かを検出する。位置が変化している場合、制御部１０は、紙幣が多く詰められたことによるセット不良と判断する。そして制御部１０は、シャッタ２１を開くと共に、紙幣を減らすよう利用者に促す誘導画面を表示する。
【００６７】
支持部材の一例であるプールガイド２３と、支持部材側に押圧する押圧部材の一例であるビルプレス２２は、図示しないモータ等の駆動源により、それぞれ独立して、図中の矢印Ｍ１方向およびＭ２方向のいずれの方向にも移動することが可能であるとしたが、これに限定されず、支持部材（プールガイド２２）は移動しない構成でもよい。さらに、支持部材（プールガイド２２）がない構成でもよい。この場合は、例えば、集積位置と投入位置と分離位置に応じて押圧部材であるビルプレス２２を移動させ所定の位置に停止するように制御する。図７に示すフローチャートにおいては、プールガイド２２が移動しない処理となり、ステップＳ１２１においては、ビルプレス２２の位置チェックを行うこととなる。
【００６８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６９】
１  自動取引装置
１０  制御部
１１  通帳取扱部
１２  カード取扱部
１３  硬貨接客部
１４  紙幣接客部
１５  顧客操作表示部
１６  紙幣入出金部
１７  硬貨入出金部
１８  通信部
１９  記憶部
２１  シャッタ
２２  ビルプレス
２３  プールガイド
２５  紙幣
２７  搬送路
２８  搬送路
Ｐ１  投入位置（Ｐ１ａ：プールガイド位置、Ｐ１ｂ：ビルプレス位置）
【図１】
2020194254.tif 000003
【図２】
2020194254.tif 000004
【図３】
2020194254.tif 000005
【図４】
2020194254.tif 000006
【図５】
2020194254.tif 000007
【図６】
2020194254.tif 000008
【図７】
2020194254.tif 000009
【図８】
2020194254.tif 000010
【図９】
2020194254.tif 000011